(57)【特許請求の範囲】
【請求項１】
筒状フィルムにおける相互に重ね合わされた状態で貼着されたセンターシール部分またはそのセンターシール部分を跨ぐように切目を形成する切目形成方法であって、
筒状フィルムをシート状に折り畳み、
その筒状フィルムを切目形成刃とその受け部材との間に挟み込むことによって、シート状に折り畳まれた筒状フィルムにおけるセンターシール側のフィルムにのみ切目を形成するようにしたことを特徴とする切目形成方法。
【請求項２】
フィルムの幅方向の両側部におけるそれぞれの側縁から所定の長さだけ内側の位置にミシン目を形成し、
形成されたミシン目部分が重ならないように、ミシン目が形成されたフィルムの両側部を相互に重ね合わせてセンターシールすることによって筒状に形成し、
筒状に形成されたフィルムをシート状に折り畳み、
そのフィルムを切目形成刃とその受け部材との間に挟み込むことによって、シート状に折り畳まれた筒状のフィルムにおけるセンターシール側のフィルムにのみ、センターシール部分またはそのセンターシール部分を跨ぐように切目を形成するようにしたことを特徴とする切目形成方法。
【請求項３】
被装着体に装着される筒状ラベルであって、
請求項１にかかる発明の切目形成方法によって、前記被装着体から取り外すために、縦方向に破断する際のきっかけとなる連続的または断続的な切目が形成されており、
前記切目は、前記センターシール部分を中心とした位置に形成されていることを特徴とする筒状ラベル。
【発明の詳細な説明】
【技術分野】
【０００１】
この発明は、筒状フィルムにおける相互に重ね合わされた状態で貼着されたセンターシール部分またはそのセンターシール部分を跨ぐように切目を形成する切目形成方法及びその切目形成方法によって切目が形成された筒状ラベルに関する。
【背景技術】
【０００２】
ボトル容器に装着される筒状ラベルとしては、所定幅のシュリンクフィルムの幅方向両端を、溶剤等を介して、重ね合わせて接着（センターシール）することによって筒状に形成したシュリンクラベルがある。
【０００３】
シュリンクラベルには、ボトル容器の胴部のみを被覆するもの以外に、ボトル容器の胴部から口栓までを全体的に被覆するフルシュリンクタイプがあり、こういったフルシュリンクタイプでは、図１０に示すように、ボトル容器Ｂを開栓する際に、口栓ｐから首部ｎに至る被覆部分を容易に剥ぎ取ることができるように、ボトル容器Ｂの首部ｎの下端位置に形成された横ミシン目５１と、センターシール部分ＣＳを挟んでその両側に形成された、上端から横ミシン目５１に至る２本の縦ミシン目５２と、センターシール部分ＣＳを跨ぐように、２本の縦ミシン目５２に繋がって、２本の縦ミシン目５２を破断するきっかけとなる摘み部を形成する、切目５３とを有している。
【０００４】
従って、ボトル容器Ｂを開栓する際は、切目５３によって形成された摘み部を摘んで上方に引き上げることで、２本の縦ミシン目５２に沿ってシュリンクラベルＬを帯状に破断した後、横ミシン目５１に沿ってシュリンクラベルＬを上下に分断することにより、シュリンクラベルＬにおけるボトル容器Ｂの口栓ｐから首部ｎに至る被覆部分を剥ぎ取ることになる。
【０００５】
【特許文献１】特許第３５５３５０１号公報
【発明の開示】
【発明が解決しようとする課題】
【０００６】
ところで、シュリンクラベルＬに上述したような切目５３を形成する場合は、通常、図１１（ａ）に示すように、まず、センターシール部分ＣＳの一方の側縁の近傍に折目線ＦＬがくるように、筒状のシュリンクラベルＬをシート状に折り畳み、２枚重ねの状態で、センターシール部分ＣＳの外側からセンターシール部分ＣＳを跨ぐようにして折目線ＦＬに至る切目５３を形成することで、シート状に折り畳まれたシュリンクラベルＬの表裏に同時に切目５３を形成することになる。
【０００７】
従って、このようにして形成された切目５３は、同図（ｂ）に示すように、折目線ＦＬを対称軸とした線対称形状になるが、センターシール部分ＣＳに対しては、その幅方向に位置ズレした状態となるので、外観上好ましくなく、また、破断性も良くないといった問題がある。
【０００８】
さらに、こういった方法で形成された切目５３は、必ず、折目線ＦＬを対称軸とした線対称形状になり、点対称形状や全くの非対称形状等の対称軸を持たない非線対称形状の切目を形成することができないので、形成することができる切目の形状が制限されるという問題もある。
【０００９】
そこで、この発明の課題は、センターシール部分を対称軸とした線対称形状の切目や点対称形状または非対称形状の切目を形成することができる切目形成方法及びその切目形成方法によって切目が形成された筒状ラベルを提供することにある。
【課題を解決するための手段】
【００１０】
上記の課題を解決するため、請求項１にかかる発明は、筒状フィルムにおける相互に重ね合わされた状態で貼着されたセンターシール部分またはそのセンターシール部分を跨ぐように切目を形成する切目形成方法であって、筒状フィルムをシート状に折り畳み、その筒状フィルムを切目形成刃とその受け部材との間に挟み込むことによって、シート状に折り畳まれた筒状フィルムにおけるセンターシール側のフィルムにのみ切目を形成するようにしたことを特徴とする切目形成方法を提供するものである。
【００１１】
また、上記の課題を解決するため、請求項２にかかる発明は、フィルムの幅方向の両側部におけるそれぞれの側縁から所定の長さだけ内側の位置にミシン目を形成し、形成されたミシン目部分が重ならないように、ミシン目が形成されたフィルムの両側部を相互に重ね合わせてセンターシールすることによって筒状に形成し、筒状に形成されたフィルムをシート状に折り畳み、そのフィルムを切目形成刃とその受け部材との間に挟み込むことによって、シート状に折り畳まれた筒状のフィルムにおけるセンターシール側のフィルムにのみ、センターシール部分またはそのセンターシール部分を跨ぐように切目を形成するようにしたことを特徴とする切目形成方法を提供するものである。
【００１２】
また、請求項３にかかる発明は、被装着体に装着される筒状ラベルであって、請求項１にかかる発明の切目形成方法によって、前記被装着体から取り外すために、縦方向に破断する際のきっかけとなる連続的または断続的な切目が形成されており、前記切目は、前記センターシール部分を中心とした位置に形成されていることを特徴とする筒状ラベルを提供するものである。
【００１３】
なお、フィルムの重ね合わせ幅よりもフィルムの貼着幅のほうが狭い筒状フィルムの場合は、フィルムの重ね合わせ部分またはフィルムの貼着部分のいずれを「センターシール部分」として採用してもよく、「切目がセンターシール部分を中心とした位置に形成されている」とは、筒状フィルムの周方向の切目形成範囲の中心がセンターシール部分に位置していることを意味している。
【発明の効果】
【００１４】
以上のように、請求項１にかかる発明の切目形成方法では、筒状フィルムをシート状に折り畳み、その筒状フィルムを切目形成刃とその受け部材との間に挟み込むことによって、シート状に折り畳まれた筒状フィルムにおけるセンターシール側のフィルムにのみ切目を形成するようにしたので、請求項３にかかる発明の筒状ラベルのように、センターシール部分を中心とした位置に切目を形成することが可能となる。
【００１５】
さらに、請求項２にかかる発明の切目形成方法では、センターシール部分の一方の側縁の近傍に折目線がくるように、筒状のフィルムを折り畳んだ状態でミシン目を形成する従来の方法とは異なり、一対のミシン目間の中央にセンターシール部分及び切目の双方を形成することが可能となる。
【００１６】
特に、請求項３にかかる発明の筒状ラベルでは、センターシール部分を中心とした位置に切目が形成されているので、外観上好ましく、しかも、良好な破断性を確保することができる。
【発明を実施するための最良の形態】
【００１７】
以下、実施の形態について図面を参照して説明する。図１は、この発明にかかる筒状ラベル１０がＰＥＴボトル２０の胴部に装着されたラベル付き容器を示している。このラベル付き容器は、商品名、商標及び図柄等のデザインを表示する印刷が施されたシュリンクフィルムによって形成された筒状ラベル１０を、ＰＥＴボトル２０の胴部に被嵌した後、加熱収縮させることによって装着したものであり、ＰＥＴボトル２０には、同図に示すように、強度を確保するために、胴部の上側及び下側に、全周にわたって径方向に窪ませた環状の横リブ２１ａ、２１ｂ、２１ｃ、２１ｄ、２１ｅがそれぞれ形成されていると共に、上側の横リブ２１ｂと下側の横リブ２１ｃとの間には、径方向に窪ませた縦長のパネル部２２が胴部の周方向に一定間隔で形成されている。
【００１８】
なお、筒状ラベル１０を形成するシュリンクフィルムとしては、通常の熱収縮性の筒状ラベルに用いられるものが使用でき、実質的に横一軸延伸（例えば、横方向（筒状にしたときの周方向）に２〜６倍程度、縦方向に１〜１．５倍程度に延伸）され、９０℃の温水に１０秒間浸漬したとき、横方向の熱収縮率が３０〜８０％、縦方向の熱収縮率が−５〜１５％のもので、代表的には、スチレンブタジエン共重合体等のポリスチレン系、ポリエチレンテレフタレートやその共重合体等のポリエステル系、ポリプロピレン等のポリオレフィン系、環状ポリオレフィン系等の樹脂からなる単層や複層の厚さ２０〜６０μｍ程度のフィルムが使用される。
【００１９】
前記筒状ラベル１０は、図１、図２及び図３（ａ）に示すように、所定幅のシュリンクフィルムの幅方向両端を溶剤等を介して重ね合わせて接着（封筒張り）されたセンターシール部分ＣＳ（例えば、重ね合わせ幅２〜１０ｍｍ、接着幅１〜５ｍｍ）を跨ぐように、上端から少し下がった中間位置に形成された断続的な切目１１と、センターシール部分ＣＳを挟んで上端から下端にわたって縦方向に延びる一対のミシン目１２、１２とを有しており、断続的な切目１１に沿って破断することにより、筒状ラベル１０を縦方向に破断するきっかけとなる摘み部が形成されるようになっている。
【００２０】
摘み部を形成する断続的な切目１１は、センターシール部分ＣＳの幅方向の中心を通る直線を対称軸とした線対称の形状を有しており、摘み部の先端縁（上端縁）に相当する湾曲部が連続的に切り込まれていると共に、摘み部の基端部に相当する両端部が一対のミシン目１２、１２にそれぞれ繋がっている。
【００２１】
前記ミシン目１２、１２は、断続的な切目や貫通孔により形成され、切目部の長さが０．３〜１．０ｍｍ、非切目部の長さが０．３〜４．０ｍｍ程度に設定されており、切目部及び非切目部の長さは、フィルムの材質等を考慮して適宜決定される。また、一対のミシン目１２、１２の間隔は８〜２０ｍｍ程度に設定されており、トムソン刃や先端が円錐状、角錐状または扁平状等の針状の刃、レーザーの断続照射等により形成される。なお、各ミシン目１２は、２〜３本のミシン目を並列的に形成した多重ミシンでもよい。
【００２２】
また、筒状ラベル１０は、図１に示すように、センターシール部分ＣＳが、ＰＥＴボトル２０の胴部に形成された隣接するパネル部２２間の窪んでいない部分に対応するように、周方向に位置決めされると共に、上端及び下端がＰＥＴボトル２０の胴部に形成された最上位の横リブ２１ａ及び下から２本目の横リブ２１ｄにそれぞれ対応するように、上下方向に位置決めされた状態で、ＰＥＴボトル２０の胴部に装着されており、断続的な切目１１のうち連続的に切り込まれている湾曲部は、図３（ａ）に示すように、上から２本目の横リブ２１ｂに対応する位置にくるようになっている。
【００２３】
従って、ＰＥＴボトル２０の胴部に装着された筒状ラベル１０は、その上端及び下端がＰＥＴボトル２０の胴部に形成された横リブ２１ａ、２１ｄにそれぞれ食い込むように密着しており、他の横リブ２１ｂ、２１ｃにもある程度沿って凹んでいるが、周囲から切り離された湾曲部の内側部分（摘み部の先端部分）ＨＰは、図３（ｂ）に示すように、窪んだ横リブ２１ｂに沿うように熱収縮して凹むことがなく、横リブ２１ｂに沿うように熱収縮した周囲から離反して立ち上がった状態になっている。
【００２４】
以上のような状態でＰＥＴボトル２０に装着された筒状ラベル１０を取り外す際は、図３（ｂ）に示すように、ＰＥＴボトル２０の横リブ２１ｂに対応する位置で立ち上がった切目１１の湾曲部を爪先で引っかけて断続的な切目１１を破断することにより摘み部を形成した後、この摘み部を摘んで下方へ引き下げると、一対のミシン目１２、１２に沿って、筒状ラベル１０が帯状に破断され、上端部を残して筒状ラベル１０が周方向に分断されるので、最後に、分断された筒状ラベル１０の下端部を持って、周方向に繋がった上端部を引き裂けばよい。
【００２５】
以上のように構成された筒状ラベル１０は、センターシールすることによって筒状に形成され、一対のミシン目と切目とが予め形成された長尺帯状のラベル形成基材を所定長に順次切断することによって形成されるので、このラベル形成基材の製造方法について以下に説明する。
【００２６】
まず、図４に示すように、所定幅の長尺のシュリンクフィルムＦを連続的に送出しながら、ミシン目形成装置３０によって、シュリンクフィルムＦの幅方向の両端部（両端縁から数ｍｍ離れた位置）に一対のミシン目Ｍを形成する。
【００２７】
ミシン目形成装置３０は、同図に示すように、フィルムロールから繰り出された長尺帯状のシュリンクフィルムＦが掛け渡される金属製のガイドローラ３１と、このガイドローラ３１との間にシュリンクフィルムＦを挟み込むカッターローラ３３とを備えており、カッターローラ３３は、その両端部に、全周にわたって、針状に形成された多数のミシン目形成刃３５が所定間隔を開けて外周面から突出した一対のカッター列３４、３４を有していると共に、ガイドローラ３１の外周面には、一対のカッター列３４、３４に対応するように、ミシン目形成刃３５を受け入れる一対の周溝３２、３２が形成されている。
【００２８】
従って、長尺帯状のシュリンクフィルムＦがガイドローラ３１を通過する際、カッターローラ３３における一対のカッター列３４、３４を構成しているミシン目形成刃３５が、ガイドローラ３１における周溝３２、３２部分において、シュリンクフィルムＦを順次突き刺していくことにより、シュリンクフィルムＦの幅方向の両端部にそれぞれミシン目Ｍ（１２）が形成される。
【００２９】
このようにしてシュリンクフィルムＦの幅方向の両端部に一対のミシン目Ｍ、Ｍが形成されると、図５に示すように、シュリンクフィルムＦの幅方向の両端部（ミシン目Ｍの外側部分）を、溶剤等を介して、重ね合わせて接着（センターシール）することによって、シュリンクフィルムＦが筒状に形成される。同図における網掛け表示部分がセンターシール部分ＣＳを示している。
【００３０】
続いて、図６に示すように、筒状に形成されたシュリンクフィルムＦ（以下、筒状フィルムＦという。）を、切目の形成領域である一対のミシン目Ｍ、Ｍ間が、幅方向の中央部に位置するように、筒状フィルムＦをシート状に折り畳み、切目形成装置４０によって、順次、切目Ｃ（１１）を形成していく。
【００３１】
切目形成装置４０は、図６及び図７に示すように、所定形状の切目形成刃４２が外周面から突出しているダイカットロール４１と、このダイカットロール４１との間にシート状に折り畳まれた筒状フィルムＦを挟み込むアンビルロール４３とを備えており、シート状に折り畳まれた筒状フィルムＦは、センターシール部分ＣＳ及びミシン目Ｍが形成されているフィルム面がダイカットロール４１側に位置すると共に、一対のミシン目Ｍ、Ｍ間に切目形成刃４２が位置する状態で、ダイカットロール４１とアンビルロール４３との間に送り込まれるようになっている。
【００３２】
前記切目形成刃４２はダイカットロール４１の外周面に一箇所だけ形成されており、図８に示すように、切目形成刃４２の先端とアンビルロール４３の外周面との間の距離が、１枚のシュリンクフィルムＦの厚みより僅かに（数μｍ程度）小さくなるように、ダイカットロール４１とアンビルロール４３との間の隙間Ｄが設定されている。
【００３３】
従って、シート状に折り畳まれた筒状フィルムＦがダイカットロール４１とアンビルロール４３との間を通過する際、回転するダイカットロール４１の切目形成刃４２によって、筒状フィルムＦにおけるセンターシール部分ＣＳ及びミシン目Ｍが形成されているダイカットロール４１側のフィルムＦ１にだけ所定形状の切目Ｃが所定のピッチで形成されていくことになる。
【００３４】
以上のように、この切目形成装置４０では、切目Ｃの形成領域が幅方向の中央部に位置するように、シート状に折り畳んだ筒状フィルムＦを、切目形成刃４２を有するダイカットロール４１とアンビルロール４３との間に挟み込むことによって、シート状に折り畳まれた筒状フィルムＦにおけるアンビルロール４３側のフィルムＦ２を残して、センターシール部分ＣＳやミシン目Ｍを有する、ダイカットロール４１側のフィルムＦ１にだけ切目Ｃを形成するようにしたので、センターシール部分ＣＳを対称軸とした線対称の形状を有する切目Ｃを形成することが可能となる。
【００３５】
なお、上述した実施形態では、センターシール部分ＣＳの幅方向の中心を通る直線を対称軸とした線対称の形状を有する断続的な切目Ｃを形成する場合について説明したが、これに限定されるものではなく、形状の異なる切目形成刃を有するダイカットロールに取り替えることによって、線対称の形状を有する連続的な切目を形成したり、図９（ａ）、（ｂ）に示す筒状ラベル１０ａ、１０ｂのように、非対称形状の連続的な切目１１ａ、１１ｂを形成したり、点対称形状の連続的または断続的な切目を形成したりすることも可能である。
【００３６】
また、上述した実施形態では、シュリンクフィルムＦを筒状に形成する前にミシン目Ｍを形成しているが、これに限定されるものではなく、切目Ｃの形成方法と同様の方法を採用することにより、シュリンクフィルムＦを筒状に形成した後、シート状に折り畳まれた筒状フィルムにミシン目を形成することも可能である。また、同様の方法により、切目Ｃよりも浅くミシン目を施すことにより、ハーフカット状のミシン目を形成することもできる。
【図面の簡単な説明】
【００３７】
【図１】この発明にかかる筒状ラベルがＰＥＴボトルに装着されたラベル付き容器を示す側面図である。
【図２】同上の筒状ラベルを示す平面図である。
【図３】（ａ）は同上のラベル付き容器における筒状ラベルの切目が形成された部分を示す拡大図、（ｂ）は（ａ）のＸ−Ｘ線に沿った断面図である。
【図４】同上の筒状ラベルを形成するためのラベル形成基材の製造方法を示す工程図である。
【図５】同上の筒状ラベルを形成するためのラベル形成基材の製造方法を示す工程図である。
【図６】同上の筒状ラベルを形成するためのラベル形成基材の製造方法を示す工程図である。
【図７】同上のラベル形成基材の製造方法で使用される切目形成装置の概略構成を示す側面図である。
【図８】同上の切目形成装置による切目の形成状態を説明するための説明図である。
【図９】（ａ）、（ｂ）は筒状ラベルに形成される切目の変形例を示す図である。
【図１０】破断用の摘み部を形成する切目を有する従来の筒状ラベルが装着されたラベル付き容器を示す側面図である。
【図１１】（ａ）は同上の筒状ラベルに切目を形成する方法を説明するための説明図、（ｂ）は同上の筒状ラベルにおける切目とセンターシール部分との位置関係を示す部分拡大図である。
【符号の説明】
【００３８】
１０、１０ａ、１０ｂ  筒状ラベル
１１、１１ａ、１１ｂ  切目
１２  ミシン目
２０  ＰＥＴボトル
３０  ミシン目形成装置
３１  ガイドローラ
３２  周溝
３３  カッターローラ
３４  カッター列
３５  ミシン目形成刃
４０  切目形成装置
４１  ダイカットロール
４２  切目形成刃
４３  アンビルロール
ＣＳ  センターシール部分
Ｃ  切目
Ｆ  シュリンクフィルム（筒状フィルム）
Ｍ  ミシン目
【図１】
0004684820.tif 000002
【図２】
0004684820.tif 000003
【図３】
0004684820.tif 000004
【図４】
0004684820.tif 000005
【図５】
0004684820.tif 000006
【図６】
0004684820.tif 000007
【図７】
0004684820.tif 000008
【図８】
0004684820.tif 000009
【図９】
0004684820.tif 000010
【図１０】
0004684820.tif 000011
【図１１】
0004684820.tif 000012